(57)【特許請求の範囲】
【請求項１】
上面、下面、および、気流開口部を含むトレイと、
前記トレイの少なくとも一部を被覆する真空装着カバーであって、可撓壁によって画定された内部空洞、および、前記内部空洞と流体連通している弁、を備えており、前記弁は、前記内部空洞からの空気の吸引を可能にして、前記上面または前記下面に向かって内向きに前記可撓壁を引き寄せるように構成され、さらに、前記気流開口部と略位置合わせすることができるように構成されている、前記カバーと、
を含む外科用トレイシステム。
【請求項２】
前記真空装着カバーが外科用ドレープを含む、請求項１に記載の外科用トレイシステム。
【請求項３】
床置きスタンドをさらに含み、前記トレイは前記床置きスタンドによって支持されている、請求項１に記載の外科用トレイシステム。
【請求項４】
可動アームをさらに含み、前記トレイは前記可動アームに実装されている、請求項１に記載の外科用トレイシステム。
【請求項５】
前記トレイに実装された少なくとも１つの照明をさらに含み、前記少なくとも１つの照明は、前記下面の下に位置する手術部位を照射するように構成されている、請求項１に記載の外科用トレイシステム。
【請求項６】
前記下面に対して実装された少なくとも１つの発光ダイオードをさらに含み、前記カバーは前記下面および前記少なくとも１つの発光ダイオードを被覆する、請求項１に記載の外科用トレイシステム。
【請求項７】
前記トレイが、第一モジュール構成要素と、前記第一モジュール構成要素に組み付けられた第二モジュール構成要素とを含む、請求項１に記載の外科用トレイシステム。
【請求項８】
前記第一モジュール構成要素および前記第二モジュール構成要素は複数のモジュール部分から選択される、請求項７に記載の外科用トレイシステム。
【請求項９】
前記トレイが、臨床医が前記トレイを通じて手術部位を視認できるように十分に透明な透明材料から成る、請求項１に記載の外科用トレイシステム。
【請求項１０】
前記カバーが、臨床医が前記トレイおよび前記カバーを通じて手術部位を視認できるように、十分に透明な材料から成る、請求項９に記載の外科用トレイシステム。
【請求項１１】
前記トレイが半透明材料から成る、請求項１に記載の外科用トレイシステム。
【請求項１２】
前記カバーが半透明材料から成る、請求項１１に記載の外科用トレイシステム。
【請求項１３】
前記トレイがさらに、前記上面に形成されたくぼみを含み、前記カバーは前記くぼみの中に形状適合する、請求項１に記載の外科用トレイシステム。
【請求項１４】
前記カバーが、
可撓壁によって画定された内部空洞であって、前記トレイが前記内部空洞の中に配置される、内部空洞と、
前記内部空洞と流体連通している弁であって、前記弁は、前記内部空洞からの空気の吸引を可能にして、前記上面に向かって内向きに前記可撓壁を引き寄せるように構成されている、弁と、
を含む、請求項１に記載の外科用トレイシステム。
【請求項１５】
前記弁が、前記弁を通じて第一方向に空気を吸引させ、前記第一方向と反対の方向への空気の流れを抑制する、一方向弁を含む、請求項１４に記載の外科用トレイシステム。
【請求項１６】
前記弁が第一開口と第二開口とを含む二方向弁を含み、前記二方向弁は、前記第一開口に真空源が適用されたときに前記弁を通じて第一方向に空気を吸引させるように構成されており、前記二方向弁は、前記第二開口に真空源が適用されたときに前記弁を通じて第二方向に空気を吸引させるように構成されており、前記二方向弁は、前記第一開口または前記第二開口に真空源が適用されていないときに閉鎖状態にある、請求項１４に記載の外科用トレイシステム。
【請求項１７】
前記カバーが、
これを通じて前記トレイが前記カバーの中に挿入されることが可能な開口と、
前記開口を閉鎖して前記トレイを前記カバーの中に封入するように構成された閉鎖可能部分と、
を含む、請求項１に記載の外科用トレイシステム。
【請求項１８】
前記閉鎖可能部分が前記開口を封止するように構成されている、請求項１７に記載の外科用トレイシステム。
【請求項１９】
前記カバーが、
これを通じて前記トレイが前記カバーの中に少なくとも部分的に挿入されることが可能な開口と、
前記開口を選択的に封止するように構成された封止要素と、
を含む、請求項１に記載の外科用トレイシステム。
【請求項２０】
前記カバーが可撓壁によって画定された内部空洞を含み、前記可撓壁は内表面および外表面を含み、前記カバーは、前記内表面が外側を向いて前記外表面が内側を向くように反転可能である、請求項１に記載の外科用トレイシステム。
【請求項２１】
前記トレイがさらに拡大要素を含む、請求項１に記載の外科用トレイシステム。
【請求項２２】
前記カバーが拡大要素を含む、請求項１に記載の外科用トレイシステム。
【請求項２３】
前記カバーが少なくとも１つのポケットを含む、請求項１に記載の外科用トレイシステム。
【請求項２４】
気流開口部を含むトレイと、
前記トレイに少なくとも部分的に真空装着されるドレープであって、可撓壁によって画定された内部空洞、および、前記内部空洞と流体連通している弁、を備えており、前記弁が前記気流開口部と略位置合わせされている、前記ドレープと、
を含む、外科用システム。
【請求項２５】
支持表面を受けるように構成された内部空洞であって、前記内部空洞は可撓壁によって画定される、内部空洞と、
開口と、
前記開口を閉鎖して支持表面の少なくとも一部を前記内部空洞の中に封入するように構成された閉鎖可能部分と、
前記内部空洞と流体連通している弁であって、前記弁は、前記内部空洞からの空気の吸引を可能にして、支持表面の少なくとも一部をぴったりと封入するために前記可撓壁を内向きに引き寄せるように構成され、さらに、支持表面の気流開口部と略位置合わせすることができるように構成されている、弁と、
を含む、外科用ドレープ。
【請求項２６】
手術室対象物を被覆する方法であって、
請求項２５に記載のドレープの中に対象を包むステップと、
対象の周囲でドレープを略封止するステップと、
ドレープと対象との間に密着性を生み出すために、ドレープの内部領域から空気を吸引するステップと、
を含む方法。
【請求項２７】
対象が少なくとも１つのくぼみを含み、ドレープは前記吸引ステップの間に少なくとも１つのくぼみと位置合わせさせられる、請求項２６に記載の方法。
【請求項２８】
ドレープを開封するステップと、
ドレープを反転するステップと、
をさらに含む、請求項２６に記載の方法。
【請求項２９】
前記反転ステップの後に、ドレープを再封止するステップをさらに含む、請求項２８に記載の方法。
【請求項３０】
前記再封止ステップの後に、ドレープから空気を吸引するステップをさらに含む、請求項２９に記載の方法。
【請求項３１】
少なくとも１つの面を含むトレイと、
真空装着カバーと、
を含む外科用トレイシステムであって、
そのカバーは、
可撓壁によって画定された内部空洞であって、前記トレイが前記内部空洞の中に配置される、内部空洞と、
前記内部空洞と流体連通している弁であって、前記弁は、前記内部空洞からの空気の吸引を可能にして、前記トレイの前記面に向かって内向きに前記可撓壁を引き寄せるように構成され、かつ、前記弁は、第一開口と第二開口とを含む二方向弁を含み、前記二方向弁は、前記第一開口に真空源が適用されたときに前記弁を通じて第一方向に空気を吸引させるように構成されており、前記二方向弁は、前記第二開口に真空源が適用されたときに前記弁を通じて第二方向に空気を吸引させるように構成されており、前記二方向弁は、前記第一開口または前記第二開口に真空源が適用されていないときに閉鎖状態にある、弁と、
を含む、
外科用トレイシステム。
【請求項３２】
気流開口部を有する外科用トレイと、
前記外科用トレイの少なくとも一部を被覆する真空装着カバーと、
を含む手術室システムであって、
前記真空装着カバーは、
真空装着カバーの内部空洞を画定する可撓性材料であって、真空装着カバーは、開口を含んでおり、開口および内部空洞は、外科用トレイが開口を通じて挿入され且つ内部空洞の中に少なくとも部分的に位置され得るようなサイズとされている、可撓性材料と、
前記内部空洞と流体連通している弁であって、前記弁は、前記内部空洞からの空気の吸引を可能にして、前記外科用トレイの面に向かって内向きに前記可撓性材料を引き寄せるように構成され、さらに、気流開口部と位置合わせすることができるように構成されている、弁と、
を含む、
手術室システム。
【請求項３３】
真空装着カバーは、シール装置をさらに含み、
シール装置は、
（ａ）内部空洞内に外科用トレイがある非反転状態において真空装着カバーが封止されること、および、
（ｂ）内部空洞が外向きとなる反転状態において真空装着カバーが封止されること、
を可能とする、
請求項３２に記載の手術室システム。
【請求項３４】
外科用トレイは、１以上の追加のモジュール部分と互いに組み付けられるようになっているモジュール部分を含む、
請求項３２に記載の手術室システム。
【請求項３５】
気流開口部を有する手術室対象物と、
前記手術室対象物の少なくとも一部を被覆する真空装着カバーと、
を含む手術室システムであって、
前記真空装着カバーは、
真空装着カバーの内部空洞を画定する可撓性材料であって、真空装着カバーは、開口を含んでおり、開口および内部空洞は、手術室対象物が開口を通じて挿入され且つ内部空洞の中に少なくとも部分的に位置され得るようなサイズとされている、可撓性材料と、
前記内部空洞と流体連通している弁であって、前記弁は、前記内部空洞からの空気の吸引を可能にして、前記手術室対象物の面に向かって内向きに前記可撓性材料を引き寄せるように構成され、さらに、気流開口部と位置合わせすることができるように構成されている、弁と、
を含む、
手術室システム。
【請求項３６】
真空装着カバーは、シール装置をさらに含み、
シール装置は、
（ａ）内部空洞内に手術室対象物がある非反転状態において真空装着カバーが封止されること、および、
（ｂ）内部空洞が外向きとなる反転状態において真空装着カバーが封止されること、
を可能とする、
請求項３５に記載の手術室システム。
【請求項３７】
手術室対象物は、外科用トレイ、モニタおよび支持装置からなる群から選択される、請求項３５に記載の手術室システム。
【請求項３８】
手術室対象物は、支持装置である、請求項３５に記載の手術室システム。
【請求項３９】
外科用ドレープであって、
外科用ドレープの内部空洞を画定する可撓性材料であって、外科用ドレープは、開口を含んでおり、開口および内部空洞は、手術室対象物が開口を通じて挿入され且つ内部空洞の中に少なくとも部分的に位置され得るようなサイズとされている、可撓性材料と、
前記内部空洞と流体連通している弁装置であって、前記弁装置は、前記内部空洞からの空気の吸引を可能にして、前記手術室対象物の面に向かって内向きに前記可撓性材料を引き寄せるように構成され、さらに、手術室対象物の気流開口部と位置合わせすることができるように構成されている、弁と、
を含む、
外科用ドレープ。
【請求項４０】
シール装置をさらに含む外科用ドレープであって、
シール装置は、
（ａ）内部空洞内に外科用トレイがある非反転状態において外科用ドレープが封止されること、および、
（ｂ）内部空洞が外向きとなる反転状態において外科用ドレープが封止されること、
を可能とする、
請求項３９に記載の外科用ドレープ。
【請求項４１】
手術室対象物は、外科用トレイである、請求項３９に記載の外科用ドレープ。
【請求項４２】
手術室対象物は、支持装置である、請求項３９に記載の外科用ドレープ。
【発明の詳細な説明】
【技術分野】
【０００１】
本願は、その開示の全体が参照により本明細書に組み込まれる、２０１３年４月５日出願の「ＤＲＡＰＥ  ＦＯＲ  ＳＵＲＧＩＣＡＬ  ＯＢＪＥＣＴ  ＡＮＤ  ＭＥＴＨＯＤ」と題された米国特許仮出願第６１／８０８，８３７号明細書、および２０１２年１１月１６日出願の「ＳＵＲＧＩＣＡＬ  ＴＲＡＹ  ＳＹＳＴＥＭ」と題された米国特許非仮出願第１３／６７８，８４３号明細書の、恩典および優先権を主張する。
【０００２】
本発明は、たとえば手術室内で対象を少なくとも部分的に被覆するための外科用システムに関する。様々な例において、外科用システムは、トレイ、およびトレイの少なくとも一部を被覆する真空装着カバーを含むことができる。特定の例において、外科用システムは、トレイ、およびトレイに少なくとも部分的に真空装着したドレープを含むことができる。本発明はまた、本明細書に開示される外科用システムを使用する方法にも関する。
【背景技術】
【０００３】
従来の手術室装備は通常、バックテーブルを含む様々な備品を含む。バックテーブルは、外科的治療の間に必要とされる器具類を保持するために使用される、滅菌済みテーブルである場合が多い。無菌環境を維持するために、テーブルは通常滅菌され、被覆され、および／または使い捨て可能である。これは通常、患者手術台に対して横方向に、分離して配置されている。この配置の結果、執刀医は患者ベッドとバックテーブルとの間での移動が不便になる可能性がある。さらに、バックテーブルと患者ベッドとの間で移動させられるときに、物品が落下および／または別途汚されるかも知れない。
【０００４】
一般的なバックテーブルはまた、実行される治療および／または執刀医の好みに応じて選択された、様々な物品および構成を必要とするだろう。しばしば、無菌液を含むボウルが治療中に使用され、バックテーブル上に載置される。このボウルは通常、使用後に廃棄されなくてはならず、またこぼれやすい。トレイがベッド上にかけられるようにするために使用される、メイヨスタンド型のテーブルが提案されている；しかしながら、以下に記載されるように、様々な制限が、このような装置の使用を不便にすることが多い。
【０００５】
業界において、多数の従来型バックテーブルまたはスタンドが提案および使用されてきた；しかしながらこれらは、様々な便利な構成を欠いている。たとえば、参照によりその開示の全体が本明細書に組み込まれる、Ｅｒｉｃｓｏｎの「ＭＡＹＯ  ＳＴＡＮＤ  ＣＯＶＥＲ」と題された米国特許第３，７３８，４０５号明細書は、カバーつきのメイヨスタンドを開示している。スタンドはベッドの上を移動することができる；しかしながら、その構成の結果、位置決め選択肢の範囲が非常に限定される。より具体的には、スタンドは、手術台の上で使用された場合に、光を遮って執刀医の邪魔になる可能性がある。また、その上に配置されるいずれの容器またはボウルも、スタンド上に固定せずに載置され、こぼれやすくなる可能性がある。
【０００６】
その開示の全体が参照により本明細書に組み込まれる、Ｇｌａｓｓｍａｎの「ＭＡＹＯ−ＳＴＡＮＤ  ＤＩＳＰＯＳＡＢＬＥ  ＤＲＡＰＥ」と題された米国特許第５，１７０，８０４号明細書は、使い捨てドレープを有するメイヨスタンドを開示している。ドレープは、スタンド上に並べられることが可能な器具のキットを保持することができる。しかしながら、位置決め、光の遮蔽、および患者へのアクセスの妨害に関する同じ制限が、この設計にも当てはまる。
【０００７】
その開示の全体が参照により本明細書に組み込まれる、Ｗｉｌｋｅｓの「ＭＡＹＯ  ＳＴＡＮＤ  ＣＯＶＥＲ」と題された米国特許第５，４１１，０３６号明細書によって、別のメイヨスタンドカバーが開示されている。これらのような構成は、スタンドの被覆の問題に対処する；しかしながら、カバーは適用するのに不便であり、これは上記に挙げられた様々な問題を対処するものではない。様々な従来のカバーまたはドレープシステムは、ドレープが下にあるテーブルにぴったりと位置合わせせずに表面から滑り落ちる危険性があり、表面および供給品の無菌状態を汚す可能性があることを含む、多くの問題を生じる。
【０００８】
別のメイヨスタンドカバーはＬｏｆｇｒｅｎらの「ＭＡＹＯ  ＳＴＡＮＤ  ＣＯＶＥＲ」と題された米国特許第５，８７１，０１５号明細書に開示されており、さらなる手術台カバーはＣｏｍｅａｕｘらの「ＳＴＥＲＩＬＥ  ＳＵＲＧＩＣＡＬ  ＴＡＢＬＥ  ＣＯＶＥＲ」と題された米国特許第７，１０４，２０１号明細書に開示されており、これらの開示の全体が参照により本明細書に組み込まれる。その他のカバーシステムおよびメイヨスタンドも存在する；しかしながら、これらの装置の中で、ボウルの中身がこぼれる、ボウルを廃棄する必要がある、位置決めの範囲が制限される、光が遮蔽される、などの問題を克服するものはない。
【０００９】
その開示の全体が参照により本明細書に組み込まれる、Ｇａｗａｒｅｃｋｉの「ＣＯＶＥＲ  ＦＯＲ  ＡＮ  ＯＰＥＲＡＴＩＮＧ  ＲＯＯＭ  ＢＡＣＫ  ＴＡＢＬＥ」と題された米国特許第６，１４２，１５２号明細書において、手術室バックテーブル用カバーが開示されている。このカバーは、供給品のキットを供給してスタンドを被覆するために、開包される。カバーの通気部分は、カバーが迅速に開包されるようにするのに役立つ。上記と同じ制限が当てはまる。
【００１０】
執刀医はしばしば、治療中に物品が載置または保管される区画を利用できるようにすることが便利であると感じる。その開示の全体が参照により本明細書に組み込まれる、Ｆｅｎｗｉｃｋらの「ＳＵＲＧＩＣＡＬ  ＤＲＡＰＥ  ＳＹＳＴＥＭ  ＷＩＴＨ  ＰＯＵＣＨ」と題された米国特許第６，８７４，５０５号明細書は、患者を被覆する外科用ドレープシステムを開示している。ドレープは、治療中にアクセス可能なパウチを含む。しかしながら、患者の身体の各部位が遮蔽されてアクセスできないので、これは多くの治療にとって非常に不便である。さらに、このドレープは明らかに、さらなる供給品のためのトレイまたはテーブルトップの必要性に置き換わるものではない。
【先行技術文献】
【特許文献】
【００１１】
【特許文献１】米国特許第３７３８４０５号明細書
【特許文献２】米国特許第５１７０８０４号明細書
【特許文献３】米国特許第５４１１０３６号明細書
【特許文献４】米国特許第５８７１０１５号明細書
【特許文献５】米国特許第７１０４２０１号明細書
【特許文献６】米国特許第６１４２１５２号明細書
【特許文献７】米国特許第６８７４５０５号明細書
【発明の概要】
【発明が解決しようとする課題】
【００１２】
様々なドレープカバーが存在する；しかしながらこれらは、表面の上にドレープをゆったりと載置するか、または枕カバーのように対象を被覆することを伴うが、しかしながら対象の表面とのぴったりした適合はなく、これにより特定の例において問題を生じる可能性がある。さらに、使用後にこのようなドレープを廃棄することは厄介で面倒であり、さらなるバッグまたは容器を必要とする可能性がある。このため、改良された外科用システムの必要性が存在する。
【課題を解決するための手段】
【００１３】
上記の説明は、現時点での本発明分野の当該技術の様々な態様を説明することのみを目的としており、請求項の範囲の否定として見なされるべきではない。
【００１４】
以下の添付図面と併せて本発明の実施形態の以下の説明を参照することにより、本発明の特徴および利点、ならびにこれらを実現する方法がより明確となり、発明自体がより良く理解されるだろう。
【図面の簡単な説明】
【００１５】
【図１】少なくとも１つの実施形態による、外科用トレイシステムの斜視図である。
【図２】少なくとも１つの実施形態による、患者の上に配置された図１の外科用トレイシステムの斜視図である。
【図３】少なくとも１つの実施形態による、患者の上に配置された図１の外科用トレイシステムの斜視図である。
【図４】少なくとも１つの実施形態による、患者の上に配置された図１の外科用トレイシステムの斜視図である。
【図５】少なくとも１つの実施形態による、別の外科用トレイシステムの斜視図である。
【図６】少なくとも１つの実施形態による、別の外科用トレイシステムの斜視図である。
【図７】少なくとも１つの実施形態による、外科用トレイシステムの一部を受容するための容器の斜視図である。
【図８】少なくとも１つの実施形態による、別の外科用トレイシステムの斜視図である。
【図９】少なくとも１つの実施形態による、別の外科用トレイシステムの斜視図である。
【図１０】少なくとも１つの実施形態による、別の外科用トレイシステムの斜視図である。
【図１１】少なくとも１つの実施形態による、別の外科用トレイシステムの斜視図である。
【図１２】少なくとも１つの実施形態による、外科用ドレープの斜視図である。
【図１３】少なくとも１つの実施形態による、弁を含む外科用ドレープの断面図である。
【図１４】図１３の弁の分解詳細図である。
【図１５】少なくとも１つの実施形態による、外科用ドレープの斜視図である。
【図１６】伸長構成における、図１５の外科用ドレープの斜視図である。
【図１７】反転攻勢における、図１５の外科用ドレープの斜視図である。
【図１８】手術室内で利用されているいくつかの外科用トレイシステムの斜視図である。
【図１９】図１１の外科用トレイシステムの正面図である。
【図２０】図１１の外科用トレイシステムの上面斜視図である。
【図２１】図１１の外科用トレイシステムの底面斜視図である。
【図２２】図１１の外科用トレイシステムのトレイの斜視図である。
【図２３】図２２のトレイを被覆している外科用ドレープの斜視図である。
【図２４】図２３の外科用ドレープの弁に取り付けられている真空源を示す斜視図である。
【図２５】図２２のトレイに真空装着された図２３の外科用ドレープの斜視図である。
【図２６】図２２のトレイに組み付けられたモジュールチャネルの斜視図である。
【図２７】少なくとも１つの実施形態による、外科用トレイシステムの斜視図である。
【発明を実施するための形態】
【００１６】
外科用トレイシステム１０が、図１に示される。とりわけ、システム１０はトレイ２０を含む。トレイ２０はいずれかの適切な形状を有することができる。様々な例において、トレイ２０はたとえば略平坦であってもよい。特定の例において、トレイ２０は、たとえば上面および下面を含むことができる。少なくともこの実施形態を目的として、図２を参照すると、トレイ２０の下面は患者の方に向いた表面を含むことができ、その一方でトレイ２０の上面は患者から離れた方を向いた表面を有することができる。トレイ２０はさらに、たとえばその中に画定されたくぼみ３０など、１つ以上のくぼみを含むことができる。様々な例において、くぼみ３０はボウルの形状であってもよい。ボウル型くぼみ３０は、たとえばトレイ２０の上面に画定された陥凹、および／またはトレイ２０の下面から下方に延在する突起を含むことができる。くぼみ３０は、たとえば手術器具を受容してその中で支持するように構成された、たとえば側面開放容器などの、容器を含むことができる。
【００１７】
トレイ２０ は、その中に画定された少なくとも１つの開口部を含むことができる。このような開口部は、臨床医がトレイ２０を通じて患者を、または患者の手術部位を、観察できるようにする。様々な例において、開口部は、トレイ２０の上面と下面との間に延在する貫通孔を含むことができる。様々な例において、トレイ２０は少なくとも１つの窓を含むことができる。窓は、たとえばトレイ２０内に画定された開口部の中に位置してもよい、透明な、透過性の、略透明な、略透過性の、および／または半透明の材料、たとえばガラス、および／またはポリカーボネートを含むことができる。このような窓は、臨床医がトレイ２０を通じて患者を、または患者の手術部位を、観察できるようにする。様々な例において、窓はトレイと一体に形成されることが可能である。特定の例において、窓は取り外し可能にトレイに組み付けられることが可能である。特定の例において、トレイ２０は、たとえば拡大要素９０などの、少なくとも１つの拡大要素を含むことができる。このような拡大要素は、トレイ２０の上から見たときにトレイ２０の下面の下の領域を拡大することができ、臨床医がトレイ２０を通じて患者を、または患者の手術部位を、より容易に観察できるようにする。様々な例において、拡大要素は、たとえばレンズを含むことができる。いくつかの例において、トレイ２０は、たとえばデジタルカメラなどのカメラ、および／またはたとえば拡大画像を表示するように構成されたビデオ画面などの電子表示を、含むことができる。外科用トレイシステム２１０のビデオ画面２９８は、図９に示されている。様々な例において、図１を再度参照すると、トレイ２０は、複数のカメラおよび／または複数の電子表示を含むことができる。このような例において、トレイ２０は、（１つまたは複数の）カメラおよび／または（１つまたは複数の）モニタに電力を供給するように構成されることが可能な、たとえば電池などの、１つ以上の電源を含むことができる。いずれにしても、拡大要素はトレイ２０と一体に形成されることが可能である。特定の例において、拡大要素は取り外し可能にトレイ２０に組み付けられることが可能である。
【００１８】
上記に加えて、トレイシステム１０は拡大要素９６を含むことができる。拡大要素９６は、たとえばトレイ２０の縁から延在することが可能であり、上記と同様に、拡大要素９６は、トレイ２０の上から見たときに、トレイ２０の下面の下の領域を拡大するように配置および適応することが可能である。その他の様々な拡大要素もまた考えられる。様々な例において、トレイ２０の上に配置されおよび／またはこれを包囲するカバーは、少なくとも１つの拡大要素を含むことができる。たとえば、拡大要素９２は、たとえばドレープ４０と一体であり、および／またはこれに取り付けられてもよい。特定の例において、ドレープ４０は、たとえばドレープ４０の伸長部を含むことが可能な、フラップ９４などの拡大要素を含むことができる。フラップ９４は、たとえばドレープ４０と一体であるか、および／またはドレープ４０に取り外し可能に装着されてもよい。様々な例において、ドレープ４０は、これに取り付けられた１つ以上のカメラを含むことができる。特定の例において、ドレープ４０は、１つ以上の電源、および／またはたとえば上記で説明されたトレイ２０の（１つまたは複数の）電子表示と（１つまたは複数の）カメラが無線通信できるようにする、１つ以上の無線送信機を、含むことができる。
【００１９】
トレイ２０は、いずれの適切な材料から成ってもよい。たとえば、トレイ２０は、たとえば樹脂、プラスチック、繊維強化プラスチック、炭素繊維材料、アルミニウム、および／またはステンレス鋼から成ってもよい。様々な例において、トレイ２０は少なくとも部分的に、たとえばガラスおよび／またはポリカーボネートなど、透明な、透過性の、略透明な、略透過性の、および／または半透明の材料から成ってもよい。特定の例において、トレイ２０は全体的に、たとえばガラスおよび／またはポリカーボネートなど、透明な、透過性の、略透明な、略透過性の、および／または半透明の材料から成ってもよい。このような材料は、たとえば臨床医がトレイ２０を通じて患者を、または患者の手術部位を、観察できるようにする。また、このような材料は、トレイ２０を通じて光を透過させることができる。特定の状況において、光はトレイ２０を透過して、たとえば患者および／または患者の手術部位を照らすことができる。
【００２０】
様々な実施形態において、トレイシステム１０はまた、たとえば光源８０など、少なくとも１つの光源も含んでよい。光源８０は、たとえば白熱電球および／または発光ダイオード（ＬＥＤ）など、いずれの適切な光源を含むこともできる。光源８０はトレイ２０に実装されることが可能であり、様々な例において、光源８０は、トレイ２０の下の領域を照射するように適応および配置されることが可能である。特定の例において、光源８０は、トレイ２０に固定的に実装されることが可能である。いくつかの例において、光源８０は、トレイ２０に取り外し可能に実装されることが可能である。様々な例において、光源８０は、トレイ２０の下面に対しておよび／またはここに実装されることが可能である。特定の例において、光源８０は、トレイ２０の下面から光を投射するように構成されることが可能である。光源８０はまた、調整可能であってもよい。たとえば、光源８０の強度は調整可能であってもよく、および／または光源８０の配向は調整可能であってもよい。このような例において、臨床医は、光源８０が所望の領域に投射する光の量を制御するようになっていてもよい。トレイシステム１０はさらに、たとえば少なくとも１つの電池、および／または光源８０に電力を供給するように構成されたその他いずれか適切な電源を、含むことができる。様々な例において、たとえばドレープ４０は、少なくとも１つの光源を含むことができる。特定の例において、ドレープ４０は、たとえば電池など、少なくとも１つの電源を含むことができる。
【００２１】
様々な例において、トレイ２０は、材料の単一の一体片から成ってもよい。別の例において、トレイ２０は、互いに組み付けられた複数の部分から成ってもよい。少なくとも１つのこのような例において、トレイ２０は、互いに組み付けられたモジュール部分から成ってもよい。特定の例において、トレイ２０は、３つ以上のモジュール部分から選択された、第一モジュール部分および第二モジュール部分から成ってもよい。トレイ２０のモジュール部分は、たとえばモジュール部分同士を固定することが可能な連動コネクタを含むことができる。様々な例において、トレイ２０のモジュール部分は、たとえば１つ以上のファスナを利用して、互いに固定されることが可能である。
【００２２】
再び図１を参照すると、外科用トレイシステム１０はさらに、たとえばドレープ４０などのカバーを含むことができる。様々な例において、ドレープ４０はバッグを含むことができる。特定の例において、ドレープ４０は、内部空洞および開口を画定する可撓壁を含むことができる。開口は、トレイ２０の少なくとも一部が内部空洞の中に配置され得るようなサイズおよび構成であってもよい。様々な例において、内部空洞は、トレイ２０の全体を受容するサイズおよび構成であってもよい。特定の例において、カバーは、複数の内部空洞、および各内部空洞と連通している１つ以上の開口を、含むことができる。いずれにしても、ドレープ４０はさらに、開口を閉鎖して、ドレープ４０の内部空洞の中にトレイ２０を封止、または少なくとも略封止するように構成されることが可能な、少なくとも１つの封止要素を含むことができる。たとえば、ドレープ４０は、閉鎖可能端、および閉鎖可能端を閉鎖および封止するように構成されることが可能な封止要素４１を、含むことができる。少なくともこの実施形態、および／またはその他いずれか適切な実施形態の目的のため、ドレープ４０は、内部空洞の中に真空が導入されることが可能な場合には、略封止されることが可能である。このような例において、以下により詳細に記載されるように、内部空洞の中に作り出された真空は、トレイ２０の周りにドレープ４０を真空装着させるために、ドレープ４０の可撓壁を内向きに引き寄せることができる。内部空洞の中に作り出された真空は、絶対真空である必要はない；実際、真空は、ドレープ４０を取り巻く大気の圧力よりも低い真空圧力を有することができる。様々な例において、封止要素４１は、たとえば舌および溝システム、引きひも、引き剥がし接着カバーに付いているような接着ストリップ、クランプ、複数のクランプ、および／またはその他いずれか適切な手段など、いずれか適切な封止要素を含むことができる。
【００２３】
再び図１を参照すると、ドレープ４０は、たとえばドレープ４０の内部空洞と流体連通することが可能な、弁５０などの少なくとも１つの弁を含むことができる。上記に加えて、弁５０は、内部空洞の中に真空を発生させるために利用されることが可能である。様々な例において、弁５０は一方向弁を含むことができ、第一ポートおよび第二ポートを含むことができる。第一ポートは、真空源が弁５０に取り付けられおよび／またはこれに対して封止されることが可能なように構成されることが可能であり、その一方で第二ポートは内部空洞と連通することが可能である。真空源５４９および真空導管５４８は、図２４に示されている。一方向弁は、第一ポートに真空が印加されたときに、第二ポートから第一ポートへの空気の流れを許可することができる。第一ポートに真空が印加されないときには、一方向弁は第一ポートと第二ポートとの間の空気の流れを抑制することができ、これによって弁５０の中にシールを形成する。特定の例において、弁５０は二方向弁を含むことができ、第一ポートおよび第二ポートを含むことができる。二方向弁の第一ポートは、真空源が弁５０に取り付けられることおよび／またはこれに対して封止されることが可能なように構成されることが可能であり、その一方で第二ポートは内部空洞と連通することが可能である。二方向弁は、第一ポートに真空が印加されたときに第二ポートから第一ポートへの空気の流れを許可することができる。二方向弁はまた、第二ポートに真空が印加されたときに、第一ポートから第二ポートへの空気の流れも許可することができる。以下により詳細に記載されるように、二方向弁のこの特有の機能は、たとえばドレープ４０が廃棄処理中に反転されたときに、有用であろう。第一ポートまたは第二ポートに真空が印加されていないとき、二方向弁は第一ポートと第二ポートとの間の空気の流れを抑制することができ、これによって弁５０の中にシールを形成する。様々な例において、いずれの適切な弁も利用可能である。
【００２４】
上記で説明されたように、弁５０は、トレイ２０の周りでドレープ４０を内向きに引き寄せるために、利用されることが可能である。様々な例において、ドレープ４０がトレイ２０の表面の周りにぴったりと適合するように、ドレープ４０はトレイ２０の周りに真空装着されることが可能である。特定の例において、ドレープ４０は、たとえばトレイ２０のくぼみ３０の中に形状適合することが可能である。様々な例において、トレイ２０は、たとえばドレープ４０の内部空洞の中で真空が作り出されたときに、トレイ２０を通じて弁５０に向かって空気を流すように構成された、１つ以上の貫通孔を含むことができる。ここで図８を見ると、トレイ１２０およびドレープ１４０を含む外科用トレイシステム１１０が開示されている。トレイ１２０およびドレープ１４０は、多くの点においてトレイ２０およびドレープ４０と似ているかも知れない。たとえば、ドレープ１４０は弁１５０を含むことができ、トレイ１２０はたとえばボウル型くぼみ１３０、照明１８０、および拡大要素１９０を含むことができる。トレイ１２０はまた、トレイ１２０の上側と下側との間で流体連通している、気流開口部または通気孔１２２も含むことができる。様々な例において、気流開口部１２２は、弁１５０と位置合わせ、または少なくとも略位置合わせすることができる。多くの例において、上記の結果として、ドレープ４０の中の空気ポケットが減少および／または解消されることが可能である。
【００２５】
読者が理解するように、ドレープ４０および／またはドレープ１４０は、たとえばトレイ２０および／またはトレイ１２０の周りに適合、または少なくとも略適合するように、十分に可撓性であってもよい。いくつかの状況において、ドレープ４０および／またはドレープ１４０は、たとえば薄肉材料から成ってもよい。薄肉材料は、たとえばトレイに向かって内向きに偏向可能な、いずれの適切な材料から成ってもよい。ドレープ４０および／またはドレープ１４０は、たとえば織物、不織布材料、プラスチック、ラテックス、および／またはラテックスを含有しない材料などを含むがこれらに限定されない、いずれの適切な材料で形成されてもよい。様々な例において、ドレープ４０および／またはドレープ１４０は、たとえば透明な、透過性の、略透明な、略透過性の、および／または半透明の材料から成るか、または少なくとも部分的にこれらから成ってもよい。このような実施形態は、たとえば透明な、透過性の、略透明な、略透過性の、および／または半透明の材料から成る、または少なくとも部分的にこれらから成るトレイを含む実施形態と組み合わせると、特に有用になり得る。このような実施形態は、トレイの上から見たときに臨床医がトレイの下面の下の領域を視認できるようにし、臨床医がトレイおよびドレープを通じて患者を、または患者の手術部位を、より容易に観察できるようにする。
【００２６】
上記より読者が理解するように、カバーは外科用トレイの周りに真空装着され、または少なくとも略真空装着されることが、可能である。様々な例において、上記で概説したように、トレイ２０は図１に示されるようにドレープ４０によって完全に封入されることが可能である。特定の例において、図２を参照すると、トレイ２０は、たとえば外科用トレイシステム１０を患者ベッド６０の上方で移動可能に実装させることができるアーム７０によって、支持されてもよい。特定の例において、トレイ２０は、ベッド枠部材に取り付けられたアーム７０に実装されてもよい。様々な例において、アーム７０は、トレイシステム１０のある範囲の位置決め選択肢を許容するように構成された、１つ以上の関節継手を含むことができる。特定の例において、結果的に、トレイ２０は左右、前後、および上下に移動することができる。様々な例において、トレイ２０が患者に向かって下がりすぎないようにするために、移動制限安全機能が含まれてもよい。特定の実施形態において、図３を参照すると、アーム７０は、手術室で一般的に使用されるものなどのモニタシステムにトレイシステム１０を実装してもよい。特定の実施形態において、図４を参照すると、アーム７０は、天井固定具にトレイシステム１０を実装してもよい。様々な実施形態において、トレイシステム１０は、たとえばＩｎｔｕｉｔｉｖｅ  Ｓｕｒｇｉｃａｌ，Ｉｎｃ．製のｄａ  Ｖｉｎｃｉ手術ロボットのアームに実装されることが可能である。いずれにしても、アーム７０は、トレイ２０が適切な位置範囲内に配置されることを可能にする。
【００２７】
様々な状況において、上記に加えて、トレイはたとえばアーム７０に取り付け可能な少なくとも１つの実装部分を含んでもよい。特定の例において、実装部分はドレープ４０から延在してもよく、および／またはアーム７０はたとえばドレープ４０の中まで延在してもよい。このような状況において、ドレープ４０とトレイ実装部分および／またはアーム７０との間にシールが形成されることが可能である。様々な適切な封止要素が使用されてもよい。たとえば、ドレープ４０の末端部分は、接着剤、引きひも、伸縮材料、クランプ、複数のクランプ要素、および／またはその他いずれか適切な構成要素または１組の構成要素等によって、アームに対して封止されてもよい、分離した先細部分を含んでもよい。特定の実施形態において、クランプ部は、ドレープを含むキット１０を包装するために使用されてもよいという意味において、二重の目的を果たしてもよい。
【００２８】
特定の実施形態において、図１８を参照すると、外科用トレイシステムは、たとえば床置きスタンド１７０によって支持されることが可能である。スタンド１７０は、フレーム１７２、およびそこから延在する１つ以上の支持アーム１７１を含むことができる。様々な例において、外科用トレイシステムは、たとえばトレイ１２０から延在する１つ以上の支持体を含むことができる。トレイ１２０から延在する第一支持体３２２を含む外科用トレイシステム３１０は図１０に示されており、その一方でたとえば第一支持体３２２および第二支持体４２４を含む外科用トレイシステム４１０は図１１に示されている。再び図１８を参照すると、外科用トレイシステム４１０の第一支持体３２２は第一支持アーム１７１によって支持されることが可能であり、その一方で第二支持体４２４は第二支持アーム１７１によって支持されることが可能である。読者が図１８から理解するように、第一支持体３２２および／または第二支持体４２４は、たとえば１つ以上の器具をその中に受容するように構成され、および／または患者の身体を支持するように構成された、トラフを含むことができる。読者がさらに理解するように、スタンド１７０は、スタンド１７０の移動および位置決めを容易にすることができる、たとえばキャスタ１７３などの１つ以上のホイールを含むことができる。
【００２９】
様々な例において、カバーまたはドレープは、トレイの一部の周りにのみ真空装着してもよい。図８を参照すると、ドレープ１４０は、たとえばこのようなドレープを含むことができる。少なくとも１つのこのような状況において、ドレープ１４０は、トレイ１２０の上面を包囲および被覆してもよく、ドレープ１４０が所定位置に保持されるようにドレープ１４０がトレイ１２０の周りに真空装着しているときに、トレイ１２０を把持してもよい。カバーまたはドレープはトレイを少なくとも部分的に被覆するために利用されることが可能である一方で、たとえばドレープなどのカバーは、たとえば手術室の中のいずれか適切な対象の周りに真空装着されるか、または略真空装着されることが可能であると考えられる。たとえば、外科用ドレープは、テーブルまたはテーブルの少なくとも一部の周りに、真空装着されることが可能である。外科用ドレープは、たとえばモニタまたはモニタの少なくとも一部の周りに真空装着されることが可能であることもまた、考えられる。様々な状況において、カバーまたはドレープは、ドレープを開いて対象からドレープを引き剥がすことによって、対象から取り外されることが可能である。一旦対象から取り外されると、たとえばドレープは廃棄されてもよい。様々な例において、ここで図７を参照すると、たとえばドレープ４０は、外側スリーブまたはバッグなどの滅菌パッケージの中で保存され、使用された後に丸められてシェル４５の中に載置されてもよい。いくつかの状況において、ドレープ４０は、シェル４５の中で手術室まで送達されることが可能である。特定の状況において、シェル４５またはその一部は、有用なチャネルを提供するように構成されることが可能である。たとえば、シェル４５は、たとえば血管形成術などの治療の間に患者ベッドの上に載置されることが可能であり、たとえばこのような治療に使用されるガイドワイヤなどの道具は、ガイドワイヤが誤って床などの非無菌表面と接触して載置されるのを防止するために、このチャネル内に都合よく配置されてもよい。
【００３０】
上記で説明されたように、たとえばドレープ４０などのカバーは、使用された後にトレイ２０から引き剥がされることが可能である。いくつかの例において、ドレープ４０は、トレイ２０から取り外されるときに反転されるように構成されることが可能である。一形態において、ドレープ４０は、ドレープ４０の内側対向面が外向き表面になり、相応にドレープ４０の外向き表面が内向き表面となるように、ドレープ４０の本体に対して移動可能な開放端を含むことができる。一旦反転されると、たとえばシール４１は、その反転位置においてドレープ４０の開口をドレープ４０で再封止するために利用可能である。このような実施形態は、ドレープ４０の外側の汚染された表面、および／またはその上に配置された物品が、ドレープ４０の中に捕捉されるようにできる。一旦反転および封止されると、ドレープ４０は、たとえば大量の空気を封入してもよい。反転されたドレープ４０から空気を除去するため、ドレープ４０の弁が空気を除去するために利用されてもよい。読者が想起するように、ドレープ４０は、ドレープ４０の内部空洞から空気を除去するための弁５０を含むことができる。弁５０が一方向弁を含む限りにおいて、反転されたドレープ４０から空気を除去するためにドレープ４０の追加弁が利用されてもよい。弁５０が二方向弁を含む限りにおいて、弁５０はまた、反転されたドレープ４０から空気を除去するために利用されてもよい。
【００３１】
上記に加えて、二方向弁１５０を含む、たとえばドレープ９４０などのドレープの実施形態が、図１３および図１４に示される。二方向弁１５０は、ドレープ９４０内に画定された弁口９４７に実装された弁体１５１を含むことができる。特定の状況において、弁口９４７は、その中に弁体１５１の少なくとも一部が配置されることが可能な、内部に画定されたネジ溝付き開口部を含むリングを含むことができる。このような状況において、弁体１５１の外表面は、弁口９４７の中に画定されたネジ溝と螺合するように構成された、ネジ溝を含むことができる。いくつかの状況において、弁口９４７と弁体１５１との間のネジ留め接合面は、シールを含むことができる。少なくとも１つのこのような状況において、弁口９４７と弁体１５１との間のネジ留め接合面にシールを形成するために、たとえばパイプネジ溝および／またはテフロン（登録商標）ＰＴＦＥテープが利用可能である。いずれにしても、弁１５０は、真空源に選択的に取り付けられることが可能であって、たとえばトレイが未反転状態のドレープ９４０の内部に配置されているときにドレープ９４０の内部空洞９４６から空気を吸引させることが可能な、第一弁要素１５２を含むことができる。ドレープ９４０の未反転状態において、第一弁要素１５２は外側に向いており、その一方で弁１５０の第二弁要素１５５は内側に向いている。ドレープ９４７が反転状態に移行したとき、弁１５０の第二弁要素１５５は外側に向いてもよく、第一弁要素１５２は内側に向いてもよい。このような状況において、第二弁要素１５５は真空源に取り付けられることが可能であり、反転および封止されたドレープ９４０から空気を吸引させることが可能である。様々な実施形態において、弁体１５１は、弁要素１５２が真空源に取り付けられていないときに弁体１５１に弁カバー１５３を取り付けられるようにする、ネジ溝部１５４を含むことができる。このような状況において、弁カバー１５３は弁要素１５２を保護することができる。特定の実施形態において、弁体１５１は、たとえばドレープ９４０が反転状態にあるときに第二弁要素１５５を保護するために弁体１５１に弁カバー１５３が組み付けられることを可能にするように構成された、第二ネジ溝部を含むことができる。
【００３２】
様々な例において、上記に加えて、たとえば弁５０および／または弁１５０がドレープに取り外し可能に実装されることが可能である。特定の例において、たとえばドレープ４０などのドレープは、弁が弁口を通じてドレープの内部空洞と流体連通して載置されることが可能な、弁口を含むことができる。様々な例において、弁口は閉鎖可能な開口部を含むことができる。少なくとも１つのこのような例において、弁口は、弁が弁口内に位置していない第一の封止または略封止構成と、弁口の内部に位置する弁に対して弁口が封止または略封止されている、第二の封止または略封止構成と、を含むことができるシールを含むことができる。このため、このような実施形態において、ドレープが未反転状態にあるときにドレープから空気を吸引するために弁口に選択的に組み付けられ、取り外され、その後ドレープが反転状態にあるときに弁口の反対側に再組み付けされることが、可能である。
【００３３】
上記に加えて、ここで図１２を参照すると、たとえばドレープ７４０などのカバーは、シール７４１によって封止可能に封入されることが可能な内部空洞を含む、第一部分７４８を含むことができる。ドレープ７４０はさらに、シール７４１から延在する第二部分７４４を含むことができる。第二部分７４４は、開口７４７、および開口７４７を封止可能に閉鎖するように構成されたシール７４６を含むことができる。使用時、第一部分７４８の内部空洞内にトレイを配置するために、トレイは開口７４７および第二部分７４４を通じて挿入されることが可能である。ドレープ７４０が使用された後、第二部分７４４は、ドレープ７４０の第一部分７４８を封止、または少なくとも部分的に封止するために、反転されることが可能である。一旦第一部分７４８が第二部分７４４の内部に配置されると、第一部分７４８はたとえばシール７４６を利用して第二部分７４４の内部に封止されることが可能である。ここで図１５から図１７を見ると、たとえばドレープ８４０などのカバーは、シール８４１によって封止可能に封入されることが可能な内部空洞を含む、第一部分８４８を含むことができる。ドレープ８４０はさらに、シール８４１から延在する第二部分８４４を含むことができる。第二部分８４４は、開口８４７、および開口８４７を封止可能に封入するように構成されたシール８４６を含むことができる。使用時、第一部分８４８の内部空洞内にトレイを配置するために、トレイは開口８４７および第二部分８４４を通じて挿入されることが可能である。ドレープ８４０はさらに、第二部分８４４の内部に取り外し可能に配置された伸長可能部分８４２を含むことができる。第二部分８４４と同様に、伸長可能部分８４２は、第一部分８４８内にトレイを配置するためにそれを通じてトレイが挿入されることが可能な、開口８４３を含むことができる。少なくとも１つのこのような実施形態において、伸長可能部分８４２は第二部分８４４に装着されることが可能である。ドレープ８４０が使用された後、伸長可能部分８４２は第二部分８４４から引き抜かれ、その後ドレープ８４０の第一部分８４８および第二部分８４４を封入、または少なくとも部分的に封入するために、反転されることが可能である。一旦第一部分８４８および第二部分８４４が伸長部分８４２の内部に配置されると、第一部分８４８および第二部分８４４はたとえばシール８４５を利用して伸長部分８４２の内部に封止されることが可能である。
【００３４】
様々な実施形態において、ここで図５および図６を見ると、たとえばドレープ４０などのカバーは、ドレープ４０に取り付けられた１つ以上の外部パウチ４２を含むことができる。少なくとも１つのこのような例において、外部パウチ４２はドレープ４０に熱溶着されてもよい。特定の例において、少なくとも１つの接着剤、フック、面ファスナ、および／またはその他いずれか適切な取り付け要素または方法が、利用可能である。特定の実施形態において、外部パウチ４２はドレープ４０と一体に形成されることが可能である。パウチ４２は、１つ以上の保管領域を提供することができる。特定の例において、パウチ４２はラベル４３を含むことができる。パウチ１４２を含むドレープは、図８から図１２に示されている。大型パウチ５４２を利用する外科容器具システム５１０は、図２３から図２６に示されている。
【００３５】
上記で説明のとおり、たとえばトレイ１２０などのトレイは、第一支持体３２２、およびそこから延在する第二支持体４２４を含むことができる。様々な例において、第一支持体３２２および／または第二支持体４２４は、トレイ１２０に選択的に組み付けられることが可能な、モジュール構成要素を含むことができる。特定の例において、第一支持体３２２および／または第二支持体４２４は拡張可能部分５１５を含むことが可能であり、各拡張可能部分は、いくつかの状況において、アコーディオン型構成を含むことができる。また、本明細書において説明される外科用トレイアセンブリのいずれの部分も、互いに組み付け可能なモジュール構成要素を含むことができる。たとえば臨床医は、たとえば窓を含むモジュール部分、照明を含むモジュール部分、ボウル型くぼみを含むモジュール部分、拡大要素を含むモジュール部分、トラフを含むモジュール部分、支持体を含むモジュール部分、および／または取り付け部分を含むモジュール部分を含むキットから、モジュールトレイ部分を選択して、選択された部分を互いに組み付けることができる。このような例において、各モジュール部分は、２つ以上のいずれのモジュール部分も互いに組み付け可能にする、ユニバーサル接続システムを含むことができる。
【００３６】
本明細書において説明されるように、手術室対象物を被覆する方法が、本明細書に開示される。特定の方法は、対象と位置合わせするようになっているドレープカバーの中に対象を包むステップを含む。このようなステップは、対象を完全に封入するか、またはドレープカバーが対象の一部の周囲を封止または略封止するように対象を包むステップを含むことができる。様々な方法はさらに、対象の周りまたは周囲にドレープカバーを封止または略封止するステップを含む。さらに、様々な方法は、ドレープカバーと対象との間に密着性を生み出すために、ドレープカバーの内部領域から空気を吸引するステップを含む。いくつかの実施形態において、ドレープカバーから空気を吸引することで、ドレープカバーはトレイ、テーブル、または対象内の少なくとも１つのくぼみとぴったり位置合わせさせる。様々な実施形態において、空気は第一ステップにおいてドレープカバーから吸引され、その後第二ステップにおいて、ドレープカバーの内部で真空が維持されるか、または少なくとも略維持されるように、十分に封止されることが可能である。あるいは、ドレープカバーの内部の真空は、使用中にドレープカバーから連続的に空気を吸引することによって維持されることが可能である。特定の方法は、ドレープカバー開口を通じて延在する支持アーム内の開口を通じて空気を吸引するステップを含むことができる。様々な方法は、ドレープカバーの弁口の内部に弁を配置し、および／または弁が使用された後に弁口から弁を取り外すステップを、含むことができる。特定の方法は、対象の少なくとも１つの通気孔と連通している対象の開口の位置と位置合わせするように、ドレープカバーの弁口および／または弁を配置して、ドレープカバーの弁口および／または弁を介して対象の開口を通じて対象から空気を吸引するステップを、含むことができる。
【００３７】
様々な方法はさらに、使用された後にドレープカバーを開封し、対象からドレープカバーを取り外し、および／またはドレープカバーを反転させるステップを含む。特定の方法はさらに、ドレープカバーを反転させるステップの後に、ドレープカバーを封止するステップを含む。本明細書に開示される方法はまた、ドレープカバーを封止するステップの後に、ドレープカバーの弁口を介してドレープカバーから空気または流体を吸引するステップを含むこともできる。様々な実施形態において、臨床医が本明細書において特定されたステップのいずれかを実行するのを支援するために、ドレープカバー上に標示が存在してもよい。たとえば対象の周囲にドレープカバーを展開する方法について臨床医に指示するのを支援するための指示標識、ならびにドレープカバーが完全に展開されたか否かを臨床医が識別できるように、対象の特定部分と位置合わせ可能な標識が、含まれてもよい。
【００３８】
様々な例において、本明細書に開示されるシステムは、たとえば１つ以上の人間工学的表面を含むことが可能な、床置き型、ベッド取り付け型、および／または天井取り付け型システムを含むことができる。特定の例において、システムは、予めモデル化された基本プラットフォームおよび／またはモジュールシステムを含むことが可能であり、複数の物品が基本プラットフォームに取り付けられるようにする。少なくとも１つの例において、基本プラットフォーム、または基本プラットフォームの少なくとも一部は、たとえば基本プラットフォームの中に包含および／または含浸されたＬＥＤも含むことができる材料など、ＬＵＣＩＴＥなどのポリカーボネート、アクリル、および／またはポリ（メタクリル酸メチル）から成ってもよい。様々な例において、たとえばトレイおよび／またはテーブルなどの基本プラットフォームは、人間工学的表面、および／または該当する治療環境の中の放射線散乱に対する遮蔽物として、機能することができる。様々な例において、システムは、治療環境の中の対象の１つ以上の人間工学的表面を被覆することが可能な、相関または位置合わせした無菌真空形状適合被覆物を含むことができる。このような被覆物は、中に封入された非無菌対象の無菌表面積を増加および／または最大化させることができる。様々な例において、上記でまとめられたように、被覆物の中の空気圧は被覆物を取り巻く空気圧よりも低くなることが可能であり、この圧力差のおかげで、被覆物は、圧力差が維持されている限り対象に向かって内向きに押されることが可能である。被覆物が破裂した場合および／または圧力差が維持されない場合には、被覆物はもはや対象に対して真空装着せず、これは臨床医に対してカバーの破損が存在する可能性があるという視覚的標識を提示することができる。治療中にシステムが使用された後、かつて無菌だった被覆物は、治療中に被覆物の上に載置された治療廃棄物および／または病原体を閉じ込めおよび／または封入するために、対象および／または人間工学的表面から取り外される際に反転されることが可能である。
【００３９】
本明細書に開示される装置は単回使用後に廃棄されるように設計されることが可能であり、あるいはこれらは複数回使用されるように設計されることも可能である。しかしながらいずれの場合も、装置は少なくとも１回の使用の後に再利用のため修繕されることが可能である。修繕は、装置の分解、これに続く特定ピースの洗浄または交換、およびその後の再組み付けのステップの、いずれかの組み合わせを含むことができる。具体的には、装置は分解されることが可能であり、いずれかの数の装置の特定ピースまたは構成要素がいずれかの組み合わせにおいて選択的に交換または除去されることが可能である。特定構成要素の洗浄および／または交換が行われると、装置は修繕設備において、または外科的治療の直前に手術チームによって、その後の使用のために再組み付けされることが可能である。装置の修繕が、分解、洗浄／交換、および再組み付けの様々な技術を利用できることを、当業者は理解するだろう。このような技術の使用、および結果的に修繕された装置は、すべて本明細書の範囲に含まれる。
【００４０】
参照により本明細書に組み込まれるとされる、いずれの特許、公報、またはその他の開示文献は、全体であれ一部であれ、組み込まれた文献が既存の定義、言明、または本開示に明記されたその他の開示文献と矛盾しない限りにおいて、本明細書に組み込まれる。このように、および必要に応じて、本明細書において明確に明示された開示は、参照により本明細書に組み込まれたいずれの矛盾する文献にも優先する。参照により本明細書に組み込まれると言われるが既存の定義、言明、または本明細書に明記されたその他の開示文献と矛盾する、いずれの文献またはその一部も、この組み込まれた文献と既存の開示文献との間に矛盾が生じない限りにおいて、組み込まれるものとする。
【００４１】
本発明は例示的な設計を有するものとして記載されてきたが、本発明は、本開示の精神および範囲の中で、さらに変更されてもよい。したがって本願は、その一般原理を用いて本発明の変形例、使用法、または適応を網羅するように意図される。さらに、本願は、本発明が関連する技術の周知のまたは習慣的なやり方の範囲内で、本開示からのこのような逸脱も網羅するように意図される。
【図１】
0006377626.tif 000002
【図２】
0006377626.tif 000003
【図３】
0006377626.tif 000004
【図４】
0006377626.tif 000005
【図５】
0006377626.tif 000006
【図６】
0006377626.tif 000007
【図７】
0006377626.tif 000008
【図８】
0006377626.tif 000009
【図９】
0006377626.tif 000010
【図１０】
0006377626.tif 000011
【図１１】
0006377626.tif 000012
【図１２】
0006377626.tif 000013
【図１３】
0006377626.tif 000014
【図１４】
0006377626.tif 000015
【図１５】
0006377626.tif 000016
【図１６】
0006377626.tif 000017
【図１７】
0006377626.tif 000018
【図１８】
0006377626.tif 000019
【図１９】
0006377626.tif 000020
【図２０】
0006377626.tif 000021
【図２１】
0006377626.tif 000022
【図２２】
0006377626.tif 000023
【図２３】
0006377626.tif 000024
【図２４】
0006377626.tif 000025
【図２５】
0006377626.tif 000026
【図２６】
0006377626.tif 000027
【図２７】
0006377626.tif 000028